(57)【要約】      （修正有）【課題】  扉と壁の間等に生じる任意の範囲内の寸法の隙間に平易に着脱が可能で、隙間の両壁面を圧迫することで設置面に損傷を与えることなく物品を保持するのに充分な保持力を得られ、繰り返しの使用が可能な保持具を提供する。【解決手段】  隙間に挿入し開脚することで両壁を圧迫し任意の荷重を支え位置を保つ保持力を得る１対の固定部材１と固定部材２の開脚機構と物品の保持部よりなる保持具であって、固定部材２の開脚機構は固定部材１の隙間に挿入されない側１ｂの間隔を押し縮め又は押し広げるものであることを特徴とする。【選択図】  図１
2006255267.tif 000002
【特許請求の範囲】
【請求項１】
隙間に挿入し開脚することで両壁を圧迫し任意の荷重を支え位置を保つ保持力を得る１対の固定部材と固定部材の開脚機構と物品の保持部よりなる保持具であって、固定部材の開脚機構は固定部材の隙間に挿入されない側の間隔を押し縮め又は押し広げるものであることを特徴とする保持具。
【発明の詳細な説明】
【技術分野】
【０００１】
本発明は、隙間を利用して取り付ける着脱自在の保持具に関わる。
【背景技術】
【０００２】
主に外出先、例えば公衆トイレ等で荷物や衣類を床面から離して保持したい際、棚やフック等の保持具が設置されていないか欲する高さに無く、自前の保持具を一時的に設置して使用できれば便利な場合がある。
【０００３】
一時的に保持具を設置する場合、着脱が容易で且つ取り外し後に傷が残らないことが望ましいが、従来取り付け対象物に取り付け傷をつけない着脱自在な保持具の取り付け方法としては、粘着材や吸盤を用いる方法やＬ字又はＵ字状をなしたフックを突出部の角に引っ掛けるなどの方法が採られている。
【０００４】
また、隙間や孔を利用して固定台座を形成する方法としてネジの締め込みにより拡張するアンカーが用いられる。
【０００５】
なお、本願発明に関連する公知技術として次の特許文献をあげることができる。
【０００６】
【特許文献１】実登３０９８７３０号公報
【特許文献２】特開２００１−１２０４１９号公報
【特許文献３】特開平０８−２０５９８６号公報
【特許文献４】特開平１１−２１６０５２号公報
【発明の開示】
【発明が解決しようとする課題】
【０００７】
吸盤は平滑で通気性の無い面でなければ安定して取り付けることは難しいが、壁や扉等の取り付け対象面が常に平滑である保証は無く、むしろエンボス状や通気性を有する吸盤の設置に不適当な素材である事は当然に想定される。
【０００８】
粘着材は物品を支える粘着力の強さに応じて剥離にも力が必要であり、また繰り返して使用すると粘着力が衰える、或いは粘着力を回復するのに洗浄の手間が掛かるなどの問題がある。
【０００９】
フックを突出部に掛ける方法では、例えば使用場所として公衆トイレを想定した場合、扉の上部か間仕切壁の上部にフックを掛けることになるが、使用する人によっては手が届かない場合があるし、逆に外部からは容易に手が届き得る位置であるので保持した物品の盗難の危険性が増大する。
【００１０】
他方、トイレ個室や居室の出入り口には多くの場合開き扉が設置されており、特に公衆トイレ個室用扉の多くは扉の全長にわたる戸当たり部材が設けられておらず左右内外開きの勝手に因らず扉の吊元側もしくは掛け止め側の少なくとも一方、多くの場合は両方に隙間があるため、この扉と壁との隙間を利用して保持具を設置できれば扉の下端から上端まで任意の高さで設置が可能であり取り付け位置の自由度が高いが、従来の隙間を利用して物品を固定するアンカー部品はネジの効きにくい脆弱な壁面へのネジの固定を目的とするものであり、またアンカー自体の繰り返しの着脱は想定していないため、取り付け面に食い込んで傷を付けたり変形した部品の復元が難しく取り外しや再使用が出来ないなどの問題がある。
【課題を解決するための手段】
【００１１】
本発明の目的は、扉と壁の間等に生じる任意の範囲内の寸法の隙間に平易に着脱が可能で、隙間の両壁面を圧迫することで設置面に損傷を与えることなく物品を保持するのに充分な保持力を得られ、繰り返しの使用が可能な保持具を提供することである。
【００１２】
１例として本発明の保持具は、１対の固定部材が互いに交差して回動可能に接続され、固定部材の隙間に挿入されない側の片方にネジの嵌合部を備え、保持部基部に備えられたネジを該嵌合部を介して２脚間に侵入させることで固定部材の隙間に挿入される側が開脚し両側の壁を圧迫するよう構成される。
【００１３】
別の例では本発明の保持具は、保持部を備えた屈曲した固定部材が背合わせに互いに回動可能に連結されており、固定部材の隙間に挿入されない側の２脚は把持して近接させるに充分な長さを有し且つ間隔を押し詰めた状態で拘束する手段を備え、以って隙間に挿入される側の固定部材が開脚し両側の壁を圧迫するよう構成される。
【発明の効果】
【００１４】
以上説明したように本発明によれば、保持部は固定部材と圧迫された隙間の両壁との摩擦により位置を保持し得るので取り付け対象の材質等に制約が少なく着脱に際しての傷も生じない上、隙間を貫通して裏面に露出する必要も無いので外部から操作される恐れも少ない。
【００１５】
また固定部材に厚みの薄い材料を用いることで、従来のアンカー部材等が挿入できない狭い隙間への設置が可能である。
【００１６】
さらに固定部材に弾発性材料を用いたり、固定部材の開閉機構、例えばネジの深度を調整することにより固定部材の間隔や圧迫の強さを調整可能であり、異なる幅の隙間に充分な保持力を備えて取り付けることが可能である。
【発明を実施するための最良の形態】
【００１７】
以下、本発明の実施の形態を図面に基づき説明する。
【００１８】
図1〜５は、本発明の第１の実施の形態に係り、図1はその正面図、図２はその固定部材を開脚した状態の正面図、図３及び図４はその外観斜視図、図５はその設置状態を示す外観斜視図である。
【００１９】
保持部４はその脚部にネジ５を備え、固定部材は１対の剛性を備えた薄板１及び２の一部に連結軸３を保持する嵌め合い部位を設け該連結軸３を中心として交差して開脚するよう連結される。
【００２０】
連結軸３により回動可能に連結された１対の固定部材１及び２の隙間に挿入される側１a及び２aはより狭い隙間に挿入できるよう取り付け対象の隙間の最小幅未満の厚みの板が一方の掻き込み部分に他方が収まるよう配され、該固定部材１の隙間に挿入されない側１ｂには前記ネジ５と嵌合するネジ受け部６が備えられ、他方２ｂは侵入した前記ネジ５に押し動かされる位置にあり、且つ挿入部分１a及び２aが平行に重なる状態になる障害とならないよう屈曲して備えられる。
【００２１】
固定部材の挿入される側１a及び２aは隙間の両壁を安定して押圧でき、且つ隙間を貫通して裏面に露出しない長さと形状であり、固定部材の隙間に挿入されない側１ｂ及び２ｂは付設する開脚構造を以って前記挿入される側１a及び２aに必要な押圧力を与えるに足る寸法と形状をなす。
【００２２】
固定部材の挿入される側１a及び２aの壁面を圧迫する面には摩擦力を高める為に溝切り等の表面加工又は摩擦係数の高い素材の付与がなされる。
【００２３】
保持部４はネジ５の操作を容易にするため掴み易く、且ついずれの位置においても物品を掛けられる形状をなす。
【００２４】
本形態の保持具は固定部材の挿入される側１a並びに２aを設置する隙間に挿入し、ネジ５を挿入されない側１ｂと２ｂの間に侵入させ前記挿入される側１a並びに２aを互いに押し開くことにより隙間の両壁面を押圧して固定した後、保持部４に物品を保持する目的に用いる。
【００２５】
開閉機構はネジを用いる以外にも適宜任意の方法を採ることができる。
【００２６】
図６〜図９は本発明の第２の実施の形態に関わり、図６はその正面図、図７はその固定部材の挿入される側を閉脚した状態の外観斜視図、図８はその固定部材の挿入される側を開脚した状態の外観斜視図、図１２はその最大開脚幅よりも狭い隙間に設置した際の変形状態の模式図である。
【００２７】
挿入される側７aと挿入されない側７ｂが角度を持つように略への字状に屈曲した１対の固定部材７は連結軸３を軸として互いに回動可能に背合わせに連結され、挿入されない側を近接させた状態に保持する為の掛け止め部材８及び受け孔９を備え、また挿入されない側の一部に物品を安定して吊り下げるために凹状をなした保持部４を備える。
【００２８】
固定部材の挿入される側７aの壁面を圧迫する面には摩擦力を高める為に溝切り等の表面加工又は摩擦係数の高い素材の付与がなされる。
【００２９】
本形態の保持具は固定部材の挿入される側７aを設置する隙間に挿入し、固定部材の挿入されない側７ｂを互いに近接するよう圧迫することにより前記挿入される側７aを互いに押し開き隙間の両壁面を押圧し固定した状態を掛け止め部材８及び受け孔９を用いて維持した後、保持部４に物品を保持する目的に用いる。
【００３０】
また本形態の保持具は開脚操作の力加減で必要な保持力を得られないことの無いよう常に一定の操作で目的にかなう押圧力を得るため、用途に足る剛性を備え、且つ必要以上の押圧に対して変形とそれに伴う弾発力を発生して常に一定の操作で一定以上の押圧力を得る為の選択がなされる。
【００３１】
図９に示すように、固定部材７は挿入される側７aが任意の押圧力を発揮し、且つ狭い隙間に挿入された状態で挿入されない側７ｂの間隔を押し詰めることができるよう、必要以上の押圧に対して変形するよう取り付け対象の寸法範囲を考慮して強度設計された例えばバネ鋼などの弾発性材料が用いられ、設定された範囲の隙間であれば常に掛け止め部材８を受け孔９に係留する一定の操作を行うことで設定された範囲の押圧力、保持力を得ることが可能となる。
【００３２】
固定部材の挿入される側７aは隙間の両壁を安定して押圧でき、且つ隙間を貫通して裏面に露出しない長さと形状であり、挿入されない側７ｂは前記挿入される側７aに任意の荷重を支えるに足る押圧力を与えるために必要な剛性を備え、且つより弱い力で把持して操作が可能なように連結軸３を支点として前記挿入される側７aに対して充分長く取られる。
【００３３】
上記いずれの実施形態においても好適には保持部の設置位置は壁面を押圧し保持力を得ている部分に掛かる荷重をより減ずるために固定部材の挿入される側により近接して設けられる。
【００３４】
以上記載したものは実施例であり本発明の構成要素や設置対象を限定するものではない。
【図面の簡単な説明】
【００３５】
【図１】本発明の保持具の第１の実施形態の正面図である。
【図２】図１の保持具の固定部材を開脚した状態の正面図である。
【図３】図１の保持具の外観斜視図である。
【図４】図１の保持具の外観斜視図である。
【図５】図１の保持具の設置状態の外観斜視図である。
【図６】本発明の保持具の第２の実施形態の正面図である。
【図７】図６の保持具の固定部材の挿入される側を閉脚した状態の外観斜視図である。
【図８】図６の保持具の固定部材の挿入される側を開脚した状態の外観斜視図である。
【図９】図６の保持具の最大開脚幅よりも狭い隙間に設置した際の変形状態の模式図である
【符号の説明】
【００３６】
A           ドア
B           壁
C           隙間
D           施錠装置
１          固定部材    
１a        固定部材の隙間に挿入される側    
１ｂ        固定部材の隙間に挿入されない側
２          固定部材
３          連結軸
４          保持部
５          ネジ
６          ネジ受け部
７          固定部材
７a         固定部材の隙間に挿入される側    
７ｂ        固定部材の隙間に挿入されない側
８          掛け止め部材
９          受け孔
【図１】
2006255267.tif 000003
【図２】
2006255267.tif 000004
【図３】
2006255267.tif 000005
【図４】
2006255267.tif 000006
【図５】
2006255267.tif 000007
【図６】
2006255267.tif 000008
【図７】
2006255267.tif 000009
【図８】
2006255267.tif 000010
【図９】
2006255267.tif 000011